(57)【要約】【課題】鼻及び口から放出された飛沫が上前方及び前方に飛散することを抑止し、且つ、主に下後方へ誘導することにより迅やかなる沈下を促進し、飛沫の空中浮遊時間を短くするとともに、折り畳んで携帯し易くすることができるノーズ・マウスシールドを提供すること。【解決手段】ノーズ・マウスシールド１０は、人の鼻から頬にかけて覆うノーズシールド部２０と、ノーズシールド部２０の下部に設けられた連結ヒンジ３０と、連結ヒンジ３０を介してノーズシールド部２０に上下方向・回動可能に設けられた口の前方を覆うマウスシールド部４０と、を備えている。ノーズシールド部２０は、上部が鼻及び頬に接して前下がりに傾斜する上面シールド本体２１と、上面シールド本体２１に連続する両横湾曲部２７を介して、両側部に折り畳み可能に設けられ耳に掛ける耳掛け部２３と、を備えている。【選択図】図１
0003231132.tif 000002
【実用新案登録請求の範囲】
【請求項１】
人の鼻と口の上方及び前方を覆うノーズ・マウスシールドであって、
薄肉状に形成され前記人の鼻から頬にかけて覆うノーズシールド部と、前記ノーズシールド部の下部に設けられた連結ヒンジと、前記連結ヒンジを介して前記ノーズシールド部に上下方向回動可能に設けられ前記口の前方を覆うマウスシールド部と、を備え、
前記ノーズシールド部は、上部が前記鼻及び前記頬に接して前下がりに傾斜する上面シールド本体と、前記上面シールド本体の両側部に折り畳み可能に設けられ耳に掛ける耳掛け部と、を備えていることを特徴とするノーズ・マウスシールド。
【請求項２】
請求項１記載のノーズ・マウスシールドであって、
前記上面シールド本体は、上部の前記鼻に接する部分に前記鼻の形状に沿って窪む鼻凹部が形成され、上部の前記頬に接する部分に前記頬の形状に沿って窪む頬凹部が形成されていることを特徴とするノーズ・マウスシールド。
【請求項３】
請求項１又は請求項２記載のノーズ・マウスシールドであって、
前記ノーズシールド部には、折り畳んだときに外部の部材に係止可能なクリップが設けられていることを特徴とするノーズ・マウスシールド。
【請求項４】
請求項１から請求項３のいずれか１項記載のノーズ・マウスシールドであって、
前記マウスシールド部は、上部が前記連結ヒンジに設けられ前方に膨らむように湾曲した下面シールド本体と、前記下面シールド本体の内側に形成され前記口の前方に位置した状態で横後方及び下後方に湾曲した湾曲面と、を備えていることを特徴とするノーズ・マウスシールド。
【請求項５】
請求項１から請求項４のいずれか１項記載のノーズ・マウスシールドであって、
前記ノーズシールド部及び前記マウスシールド部は、樹脂製のプレート状に形成され、
前記連結ヒンジは、前記ノーズシールド部の下部又は前記マウスシールド部の上部のいずれか一方に設けられ一部が開放されるとともに弾性を有する軸受と、前記ノーズシールド部の下部又は前記マウスシールド部の上部のいずれか他方に設けられ前記軸受に着脱可能、且つ、回動可能に支持される軸と、を備えていること、又、本体を着用のまま、飲食や会話の際の前記マウスシールド部の装・脱交互の切り替えが、前記連結ヒンジの回動による跳ね上げ下げ操作のみで簡便・容易に可能であることを特徴とするノーズ・マウスシールド。
【考案の詳細な説明】
【技術分野】
【０００１】
本考案は、人の鼻と口の上方及び前方を覆い、喀出飛沫の下後方への誘導を企図するノーズ・マウスシールドに関するものである。
【背景技術】
【０００２】
空気中にはウィルスなどの微生物が飛沫に付着して浮遊することがあり、これらのウィルスなどを飛沫ごと人が気道内に吸い込むことで、人体に感染症などの悪影響を及ぼすことがある。ウィルスなどは、これらを体内に保有する者（特に、感染者）の咳、くしゃみ、又は、発声などにより喀出された飛沫に付着して空気中に放出され、短時間浮遊しながら重力により飛沫ごと下方沈下する。又、飛沫の空中浮遊時間は空気中の湿度とも関係しており、湿度が低い冬場では湿度が高い夏場よりも飛沫の空中浮遊時間が長くなる。このため、特にも、冬場では、第三者が飛沫を気道内に吸引する頻度が夏場よりも一段と高くなるとともに、飛沫の吸引量も増加するため、例年、インフルエンザなどが夏場よりも冬場にかけて増加して流行する。これを防止するには、放出された飛沫を前方及び上前方に飛散させないようにして、空気中の飛沫が第三者の顔面（頭部）付近に拡散・浮遊する状況を可及的に回避することが重要になる。
【０００３】
従来、飛沫の放出を抑制する道具としてマスクが知られている。しかし、使用環境や使用状況によっては、マスクを装着することで息苦しくなってマスクを外す場面や、口元が見えないためマスクの装着が不向きな場面もある。このような場合であっても、別途、飛沫を相手の顔面（頭部）付近に直接飛達しないようにすることなどを目的とした道具として、特許文献１に示すような鼻と口の前下方を遮断するマウスシールドが知られている。
【０００４】
特許文献１のマウスシールドは、全体が湾曲可能なシート状部材により形成され、シート状部材は、装着した使用者の口の正面に配置され、口の横方向への長さを有するシールド部と、使用者の顎をカバーする位置で横方向に長いバンド部と、シールド部とバンド部とを左右方向中央で接続する連結部とを備えている。又、マウスシールドは、連結部から使用者側に立ちあがる顎当接部と、シート状部材の横方向両端部に設けられた耳掛け紐とを有する。
【０００５】
使用の際は、人の顎に顎当接部を当て、耳に耳掛け紐を掛けることで、鼻と口の前下方がシールド部で覆われるが、鼻尖部の高さよりも上方は、開放された状態（構造）となっている。
【０００６】
ところで、前述したようにウィルスなどの感染を防止するには、飛沫を拡散させないようにして、空気中の浮遊飛沫の量を可能な限り低減することが重要になるところ、特許文献１のマウスシールドは、鼻尖部の高さよりも上方は、開放された状態（構造）となっているため、放出された飛沫が上前方に飛散して舞い上がり拡散し、下方沈下するまでの間の空中浮遊時間は、むしろやや長くなる不都合な事態も考えられる。又、マスクと同様に、飲食の際には取り外すことが必要となるため、その間は無防備状態となり易いし、取り外したマウスシールドを携帯する際にも、やや太鼓橋状に立体的な形状であることから、シールド部のサイズが十分に大きいもの程、嵩張る傾向が強くなる。
【先行技術文献】
【特許文献】
【０００７】
【特許文献１】特開２０２０−１８０４２５号公報
【考案の概要】
【考案が解決しようとする課題】
【０００８】
本考案は、鼻及び口から放出された飛沫が前方及び上前方に飛散することを抑止し、且つ、主に下後方へ誘導することにより迅やかなる沈下を促し、飛沫の空中浮遊時間を短くするとともに、折り畳んで携帯し易くすることができるノーズ・マウスシールドを提供することを課題とする。
【課題を解決するための手段】
【０００９】
［１］人の鼻と口の上方及び前方を覆うノーズ・マウスシールドであって、
薄肉状に形成され前記人の鼻から頬にかけて覆うノーズシールド部と、前記ノーズシールド部の下部に設けられた連結ヒンジと、前記連結ヒンジを介して前記ノーズシールド部に上下方向回動可能に設けられ前記口の前方を覆うマウスシールド部と、を備え、
前記ノーズシールド部は、上部が前記鼻及び前記頬に接して前下がりに傾斜する上面シールド本体と、前記上面シールド本体の両側部に折り畳み可能に設けられ耳に掛ける耳掛け部と、を備えていることを特徴とする。
【００１０】
かかる構成によれば、ノーズ・マウスシールドは、鼻から頬にかけて覆うノーズシールド部と、連結ヒンジと、連結ヒンジを介して設けられ口の前方を覆うマウスシールド部と、を備えている。ノーズシールド部は、上部が鼻及び頬に接して前下がりに傾斜する上面シールド本体と、を備えているので、口の前方をマウスシールド部で覆い、鼻の上方をノーズシールド部の上面シールド本体で覆うことができ、鼻及び口から放出された飛沫が前方及び上前方に飛散することを抑止することができる。
【００１１】
さらに、上面シールド本体は、上部が鼻及び頬に接して前下がりに傾斜するので、装着した人が、仮に、咳をしても、飛沫は上面シールド本体と鼻及び頬との間から殆ど出られず、前下がりに傾斜した上面シールド本体、及び、前方のマウスシールド部に沿って下方へ誘導されて、迅やかに口の下方（一部が両横方向）に排出されて沈下する。これは、飛沫が前方に飛散しようとするエネルギーの方向を下方へ変更することにより、自身の目の前に居る相手の顔面（頭部）付近へ飛沫が直接飛達することを、空間的、並びに、時間的に抑止するものである。このため、飛沫が相手の顔面（頭部）付近に拡散・浮遊することを抑止するとともに、排出された飛沫の空中浮遊時間も短くすることができる。
【００１２】
さらに、耳掛け部は上面シールド本体の両側部に折り畳み可能に設けられているので、装着しないときは耳掛け部を折り畳んでコンパクトにし、例えばポケットなどに入れて携帯し易くすることができる。さらには、飲食の際、ノーズ・マウスシールドを装着した状態で連結ヒンジからマウスシールド部を上方へ回動させて跳ね上げれば、ノーズ・マウスシールド自体を取り外さなくても口に食べ物を運ぶことができる。
【００１３】
［２］好ましくは、前記上面シールド本体は、上部の前記鼻に接する部分に前記鼻の形状に沿って窪む鼻凹部が形成され、上部の前記頬に接する部分に前記頬の形状に沿って窪む頬凹部が形成されている。
【００１４】
かかる構成によれば、鼻凹部及び頬凹部により、鼻の出っ張り及び頬の膨らみに沿って上面シールド本体の接する部分の形状を合わせて隙間を極小化することできる。このため、飛沫が上方に逃げることがなく主に下方に誘導されるので、飛沫が前方及び上前方に飛散することを防ぎ、飛沫の空中浮遊時間を短くすることができる。さらに、マスクとの併用の他、眼鏡との併用にも妨げは無く、特に冬場、呼気による眼鏡の曇り易さに対してもある程度の改善効果も期待できる。
【００１５】
［３］好ましくは、前記ノーズシールド部には、折り畳んだときに外部の部材に係止可能なクリップが設けられている。
【００１６】
かかる構成によれば、耳掛け部を折り畳んだ状態で、クリップを衣服のポケットに係止することで、ノーズ・マウスシールドをより携帯し易くすることができる。
【００１７】
［４］好ましくは、前記マウスシールド部は、上部が前記連結ヒンジに設けられ前方に膨らむように湾曲した下面シールド本体と、前記下面シールド本体の内側に形成され前記口の前方に位置した状態で下後方及び両横後方に湾曲した湾曲面と、を備えている。
【００１８】
かかる構成によれば、マウスシールド部は、前方に膨らむように湾曲した下面シールド本体と、下面シールド本体の内側に形成され横後方及び下後方に湾曲した湾曲面と、を備えているので、仮に咳をした場合であっても、飛沫が湾曲面に沿って誘導され、主に下後方（一部が両横後方）に迅やかに排出することができる。このため、飛沫が前方及び上前方に飛散することを抑止し、飛沫の空中浮遊時間を短くすることができる。
【００１９】
［５］好ましくは、前記ノーズシールド部及び前記マウスシールド部は、樹脂製のプレート状に形成され、
前記連結ヒンジは、前記ノーズシールド部の下部又は前記マウスシールド部の上部のいずれか一方に設けられ一部が開放されるとともに弾性を有する軸受と、前記ノーズシールド部の下部又は前記マウスシールド部の上部のいずれか他方に設けられ前記軸受に着脱可能、且つ、回動可能に支持される軸と、を備えている。
【００２０】
かかる構成によれば、ノーズシールド部及びマウスシールド部は、樹脂製のプレート状に形成されているので、水洗いや拭き取りなどの手入れを容易にすることができる。跳ね上げ下げ式のマウスシールド部も透明な樹脂製のプレートを採用することにより、汚れに対し水洗いや拭き取りなどの手入れも簡単に行うことができる。
【００２１】
さらに、連結ヒンジは、ノーズシールド部の下部又はマウスシールド部の上部のいずれか一方に設けられ一部が開放されるとともに弾性を有する軸受と、ノーズシールド部の下部又はマウスシールド部の上部のいずれか他方に設けられ軸受に着脱可能に支持される軸と、を備えているので、マウスシールド部を新しいものに交換することや、異なるデザインのものに交換することができる。
【考案の効果】
【００２２】
鼻及び口から放出された飛沫が前方及び上前方に飛散することを抑止し、且つ、主に下後方へ誘導することにより迅やかなる沈下を促進し、飛沫の空中浮遊時間を短くするとともに、折り畳んで携帯し易くすることができる。
【図面の簡単な説明】
【００２３】
【図１】本考案の実施例に係るノーズ・マウスシールドの斜視図である。
【図２】図１のノーズ・マウスシールドの断面図である。
【図３】図１のノーズ・マウスシールドの折り畳み状態の作用図である。
【図４】比較例に係るマウスシールドの作用図と、実施例に係るノーズ・マウスシールドの作用図である。
【図５】２つの比較例に係るマウスシールドの飲食時の作用図と、実施例に係るノーズ・マウスシールドの飲食時の作用図である。
【図６】別態様に係るノーズ・マウスシールドを説明する図である。
【図７】さらなる別態様に係るノーズ・マウスシールドを説明する図である。
【考案を実施するための形態】
【００２４】
本考案を実施するための形態を図面に基づいて以下に説明する。尚、図面はノーズ・マウスシールドの一例を概念的（模式的）に示すものとする。
【実施例１】
【００２５】
図１に示されるように、ノーズ・マウスシールド１０は、人の鼻と口の上方及び前方をシールドで覆う耳鼻懸架・跳ね上げ下げ式の飛沫拡散を抑止する道具である。ノーズ・マウスシールド１０は、樹脂製のプレート状（薄肉状）に形成され人（図４（Ｂ）参照）の鼻５１から頬５２にかけて覆うノーズシールド部２０と、このノーズシールド部２０の下部に設けられた連結ヒンジ３０と、この連結ヒンジ３０を介してノーズシールド部２０に上下方向回動可能に設けられ口５４の前方を覆うマウスシールド部４０と、を備えている。
【００２６】
次にノーズシールド部２０について説明する。
ノーズシールド部２０は、上部が鼻（鼻梁部）５１及び頬（頬部）５２に接して前下がりに傾斜する上面シールド本体２１と、この上面シールド本体２１に連続する両横湾曲部２７の両側部にヒンジ２２を介して折り畳み可能に設けられ耳５３に掛ける耳掛け部２３と、を備えている。尚、ヒンジ２２は、上面シールド本体２１に連続する両横湾曲部２７と耳掛け部２３との接続部分を樹脂の脆弱部として形成して折り曲げ可能としている。尚、ヒンジ２２は樹脂の脆弱部に限定されず、軸を用いたいわゆる蝶番の構造としてもよい。又、顔面形状の個人差に対応するため、両頬側覆い部２３ａの後方に調節用の上下可動構造を追加してもよい。
【００２７】
上面シールド本体２１には、上部の鼻５１に接する部分に鼻５１の形状に沿って窪む鼻凹部２４が形成され、鼻５１と頬５２の間の形状に沿って突き出る鼻脇凸部２５が形成され、上部の頬５２に接する部分に頬５２の形状に沿って窪む頬凹部２６が形成され、頬５２の横側の丸み沿って湾曲する横湾曲部２７が形成されている。
【００２８】
次に耳掛け部２３について説明する。
図１、図２（Ａ）に示されるように、耳掛け部２３は、一般的な眼鏡でいうところのつる（テンプル）であり、ヒンジ２２に接続されるとともに上下方向に広く形成されて頬５２の横側から耳５３の付け根付近までを覆う頬側覆い部２３ａと、耳５３に掛けるモダン２３ｂと、を備えている。
【００２９】
次にマウスシールド部４０について説明する。
図１、図２（Ａ）、図２（Ｂ）に示されるように、マウスシールド部４０は、上部が連結ヒンジ３０に設けられ前方に膨らむように湾曲した下面シールド本体４１と、この下面シールド本体４１の内側に形成され口５４の前方に位置した状態で横後方及び下後方に湾曲した湾曲面４２と、を備えている。湾曲面４２は、上下方向に対して下後方に湾曲するｒが形成され、左右方向に対して横後方に湾曲するｒが形成されている。この湾曲面４２により、ノーズ・マウスシールド１０を装着した人５０が例えば咳をした際、飛沫が主に下後方（一部が両横後方）に誘導され、顔の前方や上前方に拡散することを抑止できる。
【００３０】
次にノーズ・マウスシールド１０の折り畳み状態の作用について説明する。
図３（Ａ）に示されるように、ノーズシールド部２０には、耳掛け部２３及びマウスシールド部４０を折り畳んだときに外部の部材に係止可能なクリップ２８が設けられている。ノーズ・マウスシールド１０は、耳掛け部２３及びマウスシールド部４０を折り畳むことで、全体としてコンパクトにすることができる。尚、実施例では、クリップ２８をノーズシールド部２０の上部に設けたが、これに限定されず、クリップ２８をノーズシールド部２０の下部や、マウスシールド部４０の任意に位置に設けてもよい。
【００３１】
図３（Ｂ）に示されるように、ノーズ・マウスシールド１０は、耳掛け部２３及びマウスシールド部４０を折り畳んだ状態で衣服６０のポケット６１に入れられている。このとき、ポケット６１の縁にクリップ２８を係止することで、ノーズ・マウスシールド１０をポケット６１に係止し、容易に携帯することができる。尚、ノーズ・マウスシールド１０は折り畳むことでコンパクトになるため、例えば衣服のポケットや鞄の隙間に入れて容易に携帯することができる。
【００３２】
次に比較例に係るマウスシールド１００の作用について説明する。
図４（Ａ）に示されるように、比較例のマウスシールド１００は、人５０の顎に当接する顎当接部１０１と、この顎当接部１０１から上前方に延びるように形成され口５４の前方を覆う樹脂製のシート部材１０２と、顎当接部１０１の横方向両端部に設けられた耳掛け紐１０３と、を備えている。
【００３３】
比較例のマウスシールド１００は、装着した状態で、シート部材１０２によって鼻５１と口５４の前下方が覆われている。しかし、鼻尖部の高さより上方は開放された状態（構造）となっているため、人が咳をしたり大きな声を出したりすることで、飛沫が矢印のように上前方の開放部分から飛散する。このため、飛沫が顔の上前方に舞い上がり拡散し、下方沈下するまでの空中浮遊時間がむしろやや長くなることも考えられる。
【００３４】
次に実施例に係るノーズ・マウスシールド１０の作用について説明する。
図４（Ｂ）に示されるように、実施例のノーズ・マウスシールド１０は、装着した状態で、鼻５１と口５４の上前方と前方が覆われている。人が咳をしたり大きな声を出したりした際、飛沫は主に矢印のように下方の開放部分からマウスシールド部４０の湾曲面４２によって、下後方に向けて誘導・排出され、迅やかに沈下する。このため、飛沫がいち早く低い位置に移動し、下方沈下するまでの空中浮遊時間が短くなる。従って、前方にいる相手の顔面（頭部）の位置からは離れる方向に迅やかに飛沫が移動するため、相手が飛沫を吸い込むことを防止できる。尚、実施例では、人５０は眼鏡を掛けていないが、これに限定されず、人５０が眼鏡を掛けている場合であっても、その上からノーズ・マウスシールド１０を掛けることができる。この場合、眼鏡のつると重なる位置においてノーズ・マウスシールド１０の耳掛け部２３に窪み方向の段差を設け、この窪んだ段差部分に眼鏡のつるを重ねるようにして全体としての厚みを抑えて違和感を低減させることができる。
【００３５】
次に２つの比較例に係るマウスシールド１１０、１２０の飲食時の作用について説明する。
図５（Ａ）に示されるように、比較例のマウスシールド１１０は、人５０が掛ける眼鏡１１１のつる（テンプル）１１２に取り付けた取り付け部１１３と、この取り付け部１１３に設けられた軸部１１４と、この軸部１１４に回動可能に設けられシールド部１１５と、を備えている。
【００３６】
比較例のマウスシールド１１０は、装着した通常の使用状態が想像線で示すシールド部１１５であり、飲食時には実線で示すシールド部１１５の位置に回動させる。しかし、通常の使用状態では、口の上前方が大きく開放しているため、人が咳をしたり大きな声を出したりすることで、飛沫の一部が上前方の開放部分から飛散し、飛沫が顔の上前方に舞い上がり拡散し、下方沈下するまでの空中浮遊時間が長くなるリスクを排除できない。又、飲食時には、シールド部１１５を頭の近くまで回動させる必要があり煩わしい。さらに、マウスシールド１１０は不使用時も大型の形態のままであるため携帯には不便である。
【００３７】
図５（Ｂ）に示されるように、次の比較例のマウスシールド１２０は、人５０の顔の前方を迂回して両耳５３に掛けられたテンプル（以下、つると言う）１２１と、つる１２１の前側中央部から後方に延びるように設けられ鼻に支持された鼻支持部材１２２と、つる１２１に設けられ半月状に形成された上シールド１２３と、上シールド１２３の顔近傍でつる１２１に設けられた軸部１２４と、軸部１１４に回動可能に設けられシールド部１２５と、を備えている。
【００３８】
比較例のマウスシールド１２０は、装着した通常の使用状態ではシールド部１２５を口の前方に配置し、飲食時にはシールド部１２５を上に回動させる。しかし、通常の使用状態では、上シールドと鼻及び頬の間に大きな隙間があるため、人が咳をしたり大きな声を出したりすることで、飛沫の一部が隙間から上方に出て、飛沫が顔の上前方に舞い上がり下方沈下するまでの空中浮遊時間が長くなるリスクを排除できない。又、飲食時には、シールド部１２５全体を顔側にある軸部１２４を中心にして頭の近くまで回動させるため大がかりで煩わしい。さらに、マウスシールド１２０は不使用時も大型の形態のままであるため携帯には不便である。
【００３９】
次に実施例に係るノーズ・マウスシールド１０の飲食時の作用について説明する。
図５（Ｃ）に示されるように、実施例のノーズ・マウスシールド１０では、飲食時、連結ヒンジ３０からマウスシールド部４０を上方に回動させて跳ね上げることで、口５４の前方からマウスシールド部４０を避けた状態で飲食をすることができる。ノーズ・マウスシールド１０のシールドのうち略上半分がノーズシールド部２０であり、略下半分がマウスシールド部４０であり、このうち半分のマウスシールド部４０のみを回動させて跳ね上げるため、移動範囲が小さく飲食時の煩わしさを低減させることができる。
【００４０】
尚、実施例では、連結ヒンジ３０を樹脂の脆弱部としたが、軸を用いたいわゆるフリクションヒンジにしてもよく、フリクションヒンジであればマウスシールド部４０を上方に回動・跳ね上げさせた状態を手放しで保持することができ、飲食時の煩わしさをより低減させ使い勝手を向上させることができる。又、材質を透明とすることで、表情が見えて会食以外にも、家庭内での会話や多人数の前での発表などの際にも便利である。
【００４１】
又、実施例のノーズ・マウスシールド１０では、本体を着用のままマウスシールド部４０の回動・跳ね上げ下げ操作のみで、飲食中の会話の際の飛沫の飛散・飛達（拡散）を、より簡便（容易）に、時間的な遅延を生じさせずに抑止することが可能となる。
【００４２】
次に別態様に係るノーズ・マウスシールド１００について説明する。尚、図１と同様の構成については符号を振って説明を省略する。
図６に示されるように、ノーズ・マウスシールド１０は、耳掛け部２３に耳掛け紐２９を備えている。耳掛け紐２９はゴムなどのように伸縮性を有しており、耳５３（図４（Ｂ）参照）に容易に掛けることができる。又、眼鏡を掛けている人５０であってもモダン２３ｂの邪魔にならずに容易に耳掛け紐２９を耳５３に掛けることができる。
【００４３】
次にさらなる別態様に係るノーズ・マウスシールド１００について説明する。
図７（Ａ）、図７（Ｂ）に示されるように、ノーズ・マウスシールド１０は、ノーズシールド部２０から連結ヒンジ３０を介してマウスシールド部４０が着脱可能に設けられている。詳細には、連結ヒンジ３０は、ノーズシールド部２０の下部に設けられ一部が開放されるとともに弾性を有する軸受３１と、マウスシールド部４０の上部に設けられた支持部３２と、この支持部３２に設けられ軸受３１に着脱可能に支持される軸３３と、を備えている。
【００４４】
軸受３１は弾性を有しており、この軸受３１を撓ませて軸受３１の開放部分から軸３３を着脱することができる。これにより、例えばハート形のマウスシールド部４０と交換することもでき、デザイン性を備えた異なるマウスシールド部４０と自由に交換することで、低価格で多様性を持たせることができる。
【００４５】
次に以上に述べたノーズ・マウスシールド１０の作用、効果を説明する。
本考案の実施例では、ノーズシールド部２０は、上部が鼻５１及び頬５２に接して前下がりに傾斜する上面シールド本体２１を備えているので、口５４の前方をマウスシールド部４０で覆い、鼻５１の上前方をノーズシールド部２０の上面シールド本体２１で覆うことができ、鼻５１及び口５４から放出された飛沫が前方及び上前方に飛散することを抑止することができる。
【００４６】
さらに、上面シールド本体２１は、上部が鼻５１及び頬５２に接して前下がりに傾斜するので、装着した人５０が、仮に、咳をしても、飛沫は上面シールド本体２１と鼻及び頬との間から殆ど出られず、前下がりに傾斜した上面シールド本体２１、及び、前方のマウスシールド部４０に沿って下方へ誘導されて、迅やかに口５４の下方（一部が両横方向）に排出されて沈下する。これは、飛沫が前方に飛散しようとするエネルギーの方向を下方へ変更することにより、自身の目の前に居る相手の顔面（頭部）付近へ飛沫が直接飛達することを、空間的、並びに、時間的に抑止するものである。このため、飛沫が相手の顔面（頭部）付近に拡散・浮遊することを抑止するとともに、排出された飛沫の空中浮遊時間も短くすることができる。
【００４７】
さらに、耳掛け部２３は上面シールド本体２１の両側部に折り畳み可能に設けられているので、装着しないときは耳掛け部２３を折り畳んでコンパクトにし、例えばポケット６１などに入れて携帯し易くすることができる。さらには、飲食の際、ノーズ・マウスシールド１０を装着した状態で連結ヒンジ３０からマウスシールド部４０を上方へ回動させて跳ね上げれば、ノーズ・マウスシールド１０自体を取り外さなくても口５４に食べ物を運ぶことができる。
【００４８】
さらに、本考案の実施例では、鼻凹部２４及び頬凹部２６により、鼻５１の出っ張り及び頬５２の膨らみに沿って上面シールド本体２１の接する部分の形状を合わせて隙間を極小化することができる。このため、飛沫が上方に飛散することが殆ど無く効率的に下方に誘導されるので、飛沫が前方及び上前方に飛散することを防ぐとともに、飛沫の空中浮遊時間を短くすることができる。さらに、マスクとの併用の他、眼鏡との併用にも妨げは無く、特に冬場、呼気による眼鏡の曇り易さに対してもある程度の抑制効果が期待できる。
【００４９】
さらに、本考案の実施例では、耳掛け部２３を折り畳んだ状態で、クリップ２８を衣服６０のポケット６１に係止することで、ノーズ・マウスシールド１０をより携帯し易くすることができる。
【００５０】
さらに、本考案の実施例では、マウスシールド部４０は、前方に膨らむように湾曲した下面シールド本体４１と、下面シールド本体４１の内側に形成され下後方及び両横後方に湾曲した湾曲面４２と、を備えているので、仮に咳をした場合であっても、飛沫が湾曲面４２に沿って誘導され、迅やかに下後方（一部が両横後方）に排出されて沈下する。このため、飛沫が前方及び上前方に飛散することを抑止するとともに、飛沫の空中浮遊時間を短くすることができる。
【００５１】
さらに、本考案の実施例では、ノーズシールド部２０及びマウスシールド部４０は、樹脂製のプレート状に形成されているので、水洗いや拭き取りなどの手入れを容易にすることができる。跳ね上げ下げ式のマウスシールド部も透明な樹脂製のプレートを採用することにより、汚れに対し水洗いや拭き取りなどの手入れも簡単に行うことができる。
【００５２】
さらに、連結ヒンジ３０は、ノーズシールド部２０の下部又はマウスシールド部４０の上部のいずれか一方に設けられ一部が開放されるとともに弾性を有する軸受３１と、ノーズシールド部２０の下部又はマウスシールド部４０の上部のいずれか他方に設けられ軸受３１に着脱可能に支持される軸３３と、を備えているので、マウスシールド部４０を新しいものに交換することや、異なるデザインのものに交換することができる。
【００５３】
以上に述べたように、ウィルスなどが付着した飛沫の気道内・吸引量を可能な限り低減する必要がある点に対し、マスク機能の一部担う補助的な道具として、従来よりマウスシールドがある。その主たる機能は、咳、くしゃみ又は発声などにより喀出された飛沫の前方への飛散エネルギーの方向を変更することにより、自身の目の前に居る相手の顔面（頭部）付近へ飛沫が直接飛達することを空間的に抑制し、或いは、時間的に遅延させる限定的なものであるが、マスクのように口元が見え難くならない利点もあることから、しばしば利用されている。
【００５４】
従来技術のマウスシールドでは、耳と顎間のゴム紐・支持台方式による、多少の圧迫感の他、頻回の着脱操作がやや面倒であり、マスクと同様に飲食時の使用には不便であった。又、放出された飛沫が、顔面の上前方に飛散し、飛沫が下方沈下するまでの間の空中浮遊時間が長くなることも考えられ、飛沫拡散防止という目的に対しては、十分な機能とは言い難い。又、既存の耳鼻懸架・跳ね上げ下げ機能付きの商品は、大型で携帯には不向きであるなどのデメリットもあった。
【００５５】
この点、本考案は、前述の作用・効果の他、特に家庭内や身近な人との飲食時や会話の際に、飛沫の飛散・飛達（拡散）を抑止するのに有利、且つ、取り扱いが簡便であり、マスク機能の一部を代替するものとして、限定的な条件下では、単独の使用においても一定の効果が期待できる。ただし、そもそもマスク機能の全般を代替可能ではなく、基本的には、マスク機能の弱点を補強・改善する道具として、マスクとの併用により、相乗的に高い感染予防効果の向上が期待される。
【００５６】
尚、実施例では、ノーズ・マウスシールド１０の材質を樹脂製としたが、これに限定されず、金属製、紙製などにしてもよい。
【００５７】
又、実施例では、ノーズ・マウスシールド１０を透明としたが、これに限定されず、白色、黒色、青色などの着色や、模様、絵柄を付けてデザイン性を向上させてもよい。
【００５８】
即ち、本考案の作用及び効果を奏する限りにおいて、本考案は、実施例に限定されるものではない。
【産業上の利用可能性】
【００５９】
本考案のノーズ・マウスシールドは、人の鼻と口の上方及び前方を覆い、喀出飛沫の飛散・飛達（拡散）を抑止する道具として好適である。
【符号の説明】
【００６０】
１０…  ノーズ・マウスシールド
２０…  ノーズシールド部
２１…  上面シールド本体
２２…  ヒンジ
２３…  耳掛け部（テンプル、つる）
２４…  鼻凹部
２８…  クリップ
３０…  連結ヒンジ
３１…  軸受
３３…  軸
４０…  マウスシールド部
４１…  下面シールド本体
４２…  湾曲面
５０…  人
５１…  鼻
５２…  頬
５３…  耳
５４…  口
６１…  ポケット
【図１】
0003231132.tif 000003
【図２】
0003231132.tif 000004
【図３】
0003231132.tif 000005
【図４】
0003231132.tif 000006
【図５】
0003231132.tif 000007
【図６】
0003231132.tif 000008
【図７】
0003231132.tif 000009